(57)【要約】      （修正有）【課題】海上で、足つりなどの状態に泳げる者が、溺れた場合ボタン一つで、浮輪救助状態を作る事ができる全自動エアー注入式浮輪装置を提供する。【解決手段】腰ベルト式の圧縮酸素タンクのワンタッチ全自動エアー浮輪１の圧縮酸素送りネジつまみ電気スイッチによって、腰ベルトのゴム製浮輪に酸素タンクのエアーを送って膨らませて海上又は水中の人間などを海上に浮輪の力だけで、浮かばせる事の出来る装置、従って最近増えつつある海難事故に対して助かる可能性を増大させる。【選択図】図１
2012101790.tif 000002
【特許請求の範囲】
【請求項１】
本先知的所有財産のワンタッチ全自動浮輪装置は、ボタン一つで収納してある厚手浮輪を、腰のベルト近くで一瞬の内に膨らませる事が出来る海難事故防止装置。
【請求項２】
本先知的財産は、2001年5月5日の先発明であり、ボタン一つと二つの酸素タンクを、持ち得て、一つのタンクの圧縮酸素を、もう一つの空の酸素タンク室へ筒状のスクリュー型回転ワイヤ巻き取り装置で、ワンタッチ全自動浮輪のチャックワイヤーを、巻き取って浮輪に連続して酸素エアーを送る事の出来る装置。
【請求項３】
本先知的所有財産は、自動充電池と補助充電池の電気力で、レールモーターを作動させてワンタッチ全自動浮輪装置のチャックワイヤーを、ボタン一つで、巻き取り、エアータンクの圧縮酸素を、全自動で、送って浮輪を、膨らませる事の出来る装置。
【請求項４】
本先知的所有財産は、自動充電池と補助充電池の電力で、レールモーターファン羽装置で、外気を吸引して、酸素ホースへ酸素を、送れる装置。ちなみに、伊東ゆかりCD4988003196653CCKー5002(NKDDー242)美馬牛自宅
【発明の詳細な説明】
【技術分野】
【０００１】
本先発明は、海上での水難事故を防ぐために、腰バンド収納型の全自動で、浮輪を圧縮酸素を、送る事で浮輪を膨らませる事の出来る装置。
【背景技術】
【０００２】
2001年墫野和夫が、先発明先考案した後にテレビ放送で、高所から落ちた場合又高所から落ちる途中にワンタッチボタンで背中のエアークッション袋を、一瞬にして膨らませたのを、テレビ放送で、見た事がある。
【０００３】
ワンタッチ全自動浮輪のチャックワイヤーを巻き取るモーターは、レールモーターと言って本田技研工業株式会社(特願2003ー22487)のインバーター(電極切り替え装置)を介して駆動されるDCブラシレスモーター請求項5に有るモーターに対して墫野和夫側は、同じモーター先発明の日付として2001年5月で有り、先発明証明は、特願2006ー140535のレールモーター特許請求項説明と図22及び図23及び図24に書かれて入る先発明先知的財産説明技術が、本田技研の説明するDCブラシレスモーター並びに墫野和夫の言うレールモーターによって省エネルギー消費しかしないモーターである。    
【０００４】
上記の省エネルギーレールモーターを作動させるための電気エネルギーは、自動電池及び自動充電池及び機械式発電機(例えば特許物件文献1参照。)又は(特許物件文献2参照。)。
などの全自動で、ダイナモ発電し更に急速充電出来る装置。(例えば特許物件文献3参照。)。  
これら装置によって、全自動発電及び急速充電出来る装置を使った駆動装置。            
【０００５】
以下図1と図2と図3により従来の浮輪は、エアーを、空気入れか人の手で入れただけの空気浮輪しかなかった。
従ってワンタッチ全自動エアー浮輪について説明する。
図において(2)はモーター側エアー浮輪ワイヤー取り付け装置つまり、チャックワイヤーを巻き取る装置で外気吸入モーターファン羽と補助充電池と自動充電池が円柱には収まって入る。
更に、収納型酸素吸引ホース装置(3)の円柱には、空の酸素タンクともう一つの圧縮酸素タンク装置 及び見本として、ボタンスプリングスイッチ型スクリュー官(29)要するに圧縮酸素エアースクリュウー官のワイヤ巻き取りスイッチの見本である。ちなみに装置は、特許切れのはずです。
図2に於いてワンタッチ全自動エアー浮輪(1)のエアー浮輪ワイヤ通路筒形装置(8)の取り付け状態を説明していので有るが、エアー浮輪モーターワイヤ取り付け部分を説明した図である。
図3に於いてワンタッチ全自動エアー浮輪ワイヤ巻き取りスイッチ(2)の円形筒の構造としてエアー浮輪巻き取りモーター(18)とレールモーター軸ワイヤ取り付け部(21)及び外気吸入モーターファン羽(20)並びに補助充電池(23)そして、自動充電池(19)である。
更に収納型酸素吸引ホース装置(3)の円形筒の構造としは、酸素吸入官酸素タンク(24)及びワンタッチ全自動エアー浮輪酸素タンク(14)と見本部品のボタンスプリングスイッチ型スクリュー官  見本(29)と補助エアー吸入官  見本(30)などが示された図であり、収納型酸素吸引ホース装置(3)に対しての酸素吸入官酸素排出ボルトネジ装置などによって酸素吸引出来る構造にもなっている。  
図4は2001年5月5日美馬牛市街地自宅で、先発明先考案を書いてあった先発明の略図面の全体図及び説明用語を記した図である。
【発明の概要】
【発明が解決しようとする課題】
【０００６】
以上述べた従来の浮輪では、人の手もしくは、空気入れでしかエアーは、入れれなかったため、空気浮輪を、装備つまり空気の入ってない状態での浮輪泳ぎは、泳ぎの出来ない者は出来なかった。更に海上で、足つりなどの状態に泳げる者が、溺れた場合ボタン一つで、浮輪救助状態を作る事である。
【０００７】
本先知的所有財産の先発明は、このような従来の構成が有していた問題を解決しようとするものであり、遊泳者が装備したりして海難事故を、未然に防ぐ事の実現を目的とするものである。   
【課題を解決するための手段】
【０００８】
そして本発明は、上記目的を達成するために海上で溺れた場合の対策として、ボタン一つで、腰バンド全自動浮輪になる全自動浮輪しすてむを備えた全自動エアー注入式浮輪装置。
【０００９】
又第2の課題解決手段は、海上で溺れた人の酸素吸入に外気モーターファン羽装置によるエアー吸入は、エアー吸入口装置を、別に設ける事で外気酸素吸入が出来る装置。
先知的所有財産発明の経緯
先知的所有財産発明の経緯とは、特許法第一条では、発明考案の保護を、特許法で謳い発明の利用を図る事と書きながらの特許187条では、特許表示義務まで至ってないそればかりか、特許法の特許庁職員言い分は、先発明より後の発明に対して他の人間が発明の特許提出を、先発明者の特許提出を、特許庁にした場合、先発明横領が、特許法で、認められる。
金の無い弱者に対しては、金と暇がなければ、特許提出など、いつになるかは解りませんなの言い方にも聞こえてくる特許庁の平等な人権になっていない、特許提出と特許認定と特開公開表示義務 つまり先知的所有財産の徹底保護と公開義務を、行わない特許庁のため、誰がいつ何処でどの様に発明したのかも、解らない状態のまま、弱者に先知的所有財産発明考案日の個人調査つまり、弱者に金を遣わすだけの特許法しか書かない、エリート大学出の考え方を、公開のテレビ局などで、大学卒の個人それぞれから、話を聞く時代が実際に来てしまった事。2008年5月6日PM18時2分30秒美馬牛市街地自宅で、墫野和夫が、2008年の日本の国の財政及び都道府県市町村財政を、考えて見ても先に発明した先発明者の保護、しなければ、お金のある人又は企業又は国の無料助成の大学特許提出を、行って多額の金を作った者が企業ならば先発明保護なのか、後発明つまり先発明の複製者にしかなり得ないものが、先発明の財産権者にふさわしいのかは、現在の日本の特許法自体に対して、マスコミを、通じて反論しない理由を、公開の場で、マスコミが、全国の大学を、問う時代が来たのは事実のようである。更に、一度特許公開した場合お金がなくて審査請求しない場合、一度特許公開した特許は、特許庁職権で、抹消になる。
この場合、先の発明の権利は、消えていないのに一般庶民はすぐには見る事が出来ない事実に対して文部科学省では、著作権の切れない間公開されているはずである。
特許の発祥の地すなわちイギリスでは、特許提出審査請求までが、無料である。
更に日本で販売されいいる知的所有財産番号の公開を、特許庁にたずねると、金が企業にかかり過ぎるとの回答でありました。
この場合は、パンフレットを、使って商品宣伝する場合知的財産すべての、特許認定又は特開などの番号及び海外の特許審査請求の番号公開と企業側は、海外の商品すべてに対して知的所有財産番号の公開義務を、海外すべての特許庁に、義務ずけの活動及びテレビラジオで、商品宣伝した場合に対しても、審査請求の番号公開とその商品に関わる知的所有財産権に対しての知的所有財産番号公開義務を、海外の国すべてに働きかけなければ、先知的所有財産を、国が、保護していると、特許法第一条に書いても、他の特許法つまり、知的所有財産の公開の指導は、あっても特許庁の言い分の金がかかり過ぎる理由で、知的所有財産権番号公開を、企業側がしない事で、弱者日本国民は、無駄金を、特許庁特許法によって遣わされる事実の改善する日が来たと言わざる他ない事実は、2008年5月6日でも、日本経済と地方すなわち都道府県市町村の経済は、墫野和夫が、見たり聞いたりしてる限りでは、国自ら又は地方自らの国の全額借金は、無理に等しいとも言わなければならない。
このため、国の官庁都道府県市町村は、国民一人一人の先知的所有財産の先発明確認の公開義務は、考えてほしい。
理由は、先発明が、あくまでも保護されるものならば、一般の国民個人と国又は都道府県市町村が、先発明の先知的所有財産の財産の先発生事実によって先発明者と協力しあって国及び都道府県市町村の全額借金返済を、するシステム確立を、先知的所有財産文章で、国民一人一人に訴えかけて見たい。 
余りにも、貧困の差が激しくなって来て入る時代対応として書き留める。
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させるのテレビ発言で墫野和夫が、知的財産の内の発明と考案の略図及び文章を、北海道知事に郵便手紙確認保管してもらう。この事は信用の有る民主党本部 共産党及び朝日テレビなどにも、現在の子供達に借金苦を、味合わせないために、行った事である。
先知的所有財産公開提出の意図
特許法第79条(先使用による通常実施権)とは
特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をしとまず特許法に書かれているが、特許出願作品に対して特許庁が、出願と同時に審査請求つまり、同一特許作品を、いち早く特許庁は、職権義務公開しなければならないと言える。理由として、発明考案つまり、知的財産とは、先発明及び先考案及び先知的財産者が、同一の後発明又は後考案又は後知的財産によって先発明及び先考案及び先知的所有財産を、超えた同一発明の利益は、横領としか考えられない理由として、言い換えれば特許切れ又は著作権切れの先知的所有財産物に対して同じものを、作っても現在の法律では、違法とは、書いてないが、同一先知的所有財産権期限切れ商品を、複数の者が作った場合、国の財政経営に対してインフレとデフレを、同時に二つ作る事となり、先知的所有財産権期限切れの商品を、国が作って国民全員に平等に配布しない限り所得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンを、国が国営の会社として作るべきである。
先発明及び先考案及び先知的所有財産の郵便物送付目的意図2008年5月1日21時3分自宅美馬
知的財産とは、発明及び考案及び植物の新品種、意匠、著作権物その他の人間の創造的活動により生み出されるもの(発見又は解明かされた自然の法則又は現象であって産業上の利用可能性があるものを、含む。)商標、商号その他事業活動にもち入れられる商品又は役務を表示するもの及び営業秘密その他の事業活動に有用な技術上又は営業上の情報を言う。
確かに上記に述べたのが知的所有財産であるが、先発明日及び先考案日又は先意匠又は先著作権などの、日付が明白でなければ、現在の子供達に、国会議員が、国と地方の全額借金返済させる事を、国会議員が、テレビカメラの前で、言った事は、事実であった。この事実に対して墫野和夫が、先発明及び先考案及び先意匠の事実を、郵便封筒日付消印永遠保存によって現在の子供達及びこれから、生まれてくる子供達を、救う事が、出来ると考えたからである。
先知的所有財産の個人先発明財産証明の現行2008年の法律と発明考案保護に一番近い特許法の法律文書解釈
現在の特許庁職員の職務として、特許法第一条は、完全に発明の保護と考案の保護が、書かれている事実であっても、特許法39条(先願)同一の発明について異なった日に二つ以上の特許出願が、あった時は、最先の特許出願人のみが、その発明について特許を受ける事が出来る。  
上記の特許法第39条(先願)に対して検証して見ます。
同一の発明について異なった日に二つ以上の特許出願が、あった時は最先の特許出願人のみが特許を、受ける事が出来る。この場合特許提出が、異なった日であるから、先提出が、特許認定なのは、正しい。だが、同一発明の場合、先に発明していた事が、明らかに証明一例では、既に公開していて、他の者に先特許提出された事で、先発明の先知的所有財産の先発明権利を、失うとするならば、この世の中は、金があれば、後発明でも、貧乏人より、先に特許提出した者が、先知的所有財産言うなれば先発明の権利を、後発明が、奪う事となれば、莫大な先知的所有財産の横領又は奪う行為を、許す特許法になってしまうのが、残念である。
前書き
特許表示特許法第187条の現状公開事実に対しての先知的所有財産確認方法
理由   特許法第一条に基ずく先発明先考案の保護の重大性の国民の目の確認
【発明の効果】
【００１０】
上述したように、本先知的所有財産の先発明のワンタッチ全自動エアー注入式浮輪装置は、遊泳者が事故で溺れた場合腰につけて入るワンタッチ全自動エアー注入式浮輪装置によって溺れないで済む装備型浮輪装置によって、海難事故の死亡事故率を、下げる効果を発揮する装置である。 
【００１１】
又海上で、どうしても溺れた人を助けたい場合の酸素吸入装置として、外気強制モーターファン吸入器によって酸素吸入を外気で賄う装置によって海難の死亡事故率を下げる効果を発揮する装置である。
【図面の簡単な説明】
【００１２】
【図１】ワンタッチ全自動エアー浮輪の全体の正面図
【図２】ワンタッチ全自動エアー浮輪のワイヤスイッチを含めた全体の構造の正面図
【図３】ワンタッチ全自動エアー浮輪の酸素タンクとモーター部分の構造説明図
【図４】北海道道庁広報広聴第3ー37号2001年5月10日処理日
【図５】ワンタッチ全自動エアー浮輪の2001年5月5日の原本北海道道庁保存
【図６】自動電池及び自動充電池の最初の呼び名の永久電池の後で書いた原本北海道道庁原本保存有り
【図７】平成15年1月6日岩手県胡四王簡易郵便局から東京都消費者連盟本部へ先知的所有財産の確認のため送った墫野和夫の先知的所有財産図。
【図８】平成15年1月6日岩手県胡四王簡易郵便局から東京都消費者連盟本部へ先知的所有財産の確認のため送った墫野和夫の先知的所有財産図。
【図９】平成15年1月6日岩手県胡四王簡易郵便局から東京都消費者連盟本部へ先知的所有財産の確認のため送った墫野和夫の先知的所有財産図。
【図１０】平成15年1月6日岩手県胡四王簡易郵便局から東京都共産党志位和夫殿へ先知的所有財産の確認のため送った墫野和夫の先知的所有財産図。
【図１１】平成15年3月20過ぎ頃日岩手県胡四王簡易郵便局から東京都社会党本部土井高子殿へ先知的所有財産の確認のため送った墫野和夫の先知的所有財産図。
【図１２】平成16年1月4日旭川中央郵便局から東京都民主党本部へ先知的所有財産の確認のため送った墫野和夫の先知的所有財産図。
【発明を実施するための形態】
【００１３】
以下、本先知的所有財産の先発明の試作実施の形態を図1から図3に基ずいて説明する。 
【００１４】
11行目から2008年5月6日(火)AM7時18分16秒から自宅美馬牛で書く
図に於いて1は、ワンタッチ全自動エアー浮輪の先知的財産の先発明名称であり、ワンタッチ全自動エアー浮輪バンド(5)は、ワンタッチ全自動エアー浮輪バンド止め穴装置(6)によって、エアーの入ってない状態の浮輪を、固定する役目になっており、モーター側エアー浮輪ワイヤ取り付け装置(2)は、チャックの中にエアーの入ってない空気チューブが、収納されている装置のチャックを、エアー浮輪ワイヤ通路筒形装置(8)の説明でもわかるようにワイヤ通過通路である。これらワイヤ装置は、レールモーター軸ワイヤ巻き取りスイッチ(22)によってつまりレールモーター軸ワイヤ取り付け部(21)の図を見て解るように、エアー浮輪ワイヤ巻き取りモーター(18)によってワンタッチ全自動エアー浮輪(1)のチャックワイヤをスイッチ一つのレールモーターワイヤ巻き取りが出来る。
これと同時に収納型酸素吸引ホース装置(3)の円形型装置に収納されて入る装置説明として、酸素吸入官酸素タンク(24)は、最初から空の酸素タンクで有り、ワンタッチ全自動エアー浮輪圧縮酸素タンク(14)が、内蔵されて入る装置でありこれら装置からの圧縮酸素を、使い切った時点で、スプリング酸素吸入弁が閉まる装置。
(ただし、浮輪内空気圧力返し弁使用もある。)         2008年 5月6日PM15時15分50秒再度茶の間掃除終える
従って、これら装置を使用したワンタッチ全自動エアー浮輪装置。
【００１５】
2008年5月6日(火)PM13時56分4秒茶の間の掃除だけで、6時間かかる美馬牛自宅墫野
図2に於いてワンタッチ全自動エアー浮輪は、チャック側にエアー浮輪チャックワイヤ取り付け部分(10)である。
従ってレールモーターが取り付けてあるモーター側エアー浮輪ワイヤ取り付け装置(2)に エアー浮輪モーターワイヤ取り付け部分(7)が取り付く。
【００１６】
2008年5月6日(火)PM15時32分45秒中島みゆきのCDを、聞く美馬牛自宅墫野         
図3の説明に入る。モーター側エアー浮輪ワイヤ取り付け装置(2)の拡大構造図面と収納型酸素吸引ホース装置(3)の拡大図3は、収納浮輪に取り付けられて入るレールモーター軸ワイヤ取り付け部(21)は、世界レベルの省エネルギーレールモーターは、小さい電気エネルギーで、作動出来るモーターであり、この場所には二つのレールモーターが、取り付けれている。                   
従って圧縮酸素送りネジつまみ電気スイッチ(31)は、圧縮酸素つまりエアー浮輪酸素タンク(14)の酸素を送ると同時作動で、レールモーター軸ワイヤ取り付け部を説明した図のワイヤを、省エネルギーレールモーターすなわち、エアー浮輪ワイヤ巻き取りモーター(18)は、ワイヤを巻き取った時、ワイヤスイッチ(32)が、つまりワイヤの太さより太いため、ワイヤスイッチは、そのひかかりで、レールモーターすなわちエアー浮輪ワイヤ巻き取りモーターで(18)の作動は、ストップして、ゴム性のエアーチューブの酸素は、圧縮酸素タンク内の酸素量でまかなわれる。                                                          
上記の作動手順を、自動的に行ってワンタッチ全自動エアー浮輪は、誰でも海上で、海中でエアー浮輪を、膨らませる事が出来る装置。
【符号の説明】
【００１７】
1 
1 ワンタッチ全自動エアー浮輪 (ボタン一つでエアー浮輪になる装置)
2 ワンタッチ全自動エアー浮輪ワイヤー巻き取りスイッチ (全自動浮輪装置にする装置)
3 二重エアータンクと収納型酸素吸引ホース装置 
4 チャックワイヤー収納エアーチューブ2008年5月5日PM14時10分29秒から再び書く墫野  5 ワンタッチ全自動エアー浮輪バンド 
6 ワンタッチ全自動エアー浮輪バンド止め穴 
7 モーター側エアー浮輪ワイヤー取り付け装置
8 エアー浮輪ワイヤ通路筒形装置     
9 エアー浮輪ワイヤ装置 
10エアー浮輪チャックワイヤ取り付け部分
11酸素吸入官収納場所 2008年5月5日PM14時29分13秒から再び書く墫野ニャン美馬牛自宅
12酸素吸入官酸素排出つまみボルトネジ装置                               
13酸素吸入官酸素タンク
14ワンタチ全自動エアー浮輪酸素タンク
15ワンタッチ全自動エアー浮輪官酸素タンク側取り付け部
16ワンタッチ全自動エアー浮輪側取り付け部5月5日PM14時46分トイレと食器洗いショウガ
17ワンタッチ全自動エアー浮輪酸素送り官  天城越えスイッチPM14時59分45秒墫野
18エアー浮輪ワイヤー巻き取りモーター    紅ショウガ一口墫野ニヤン1分55秒
19自動充電池
20外気酸素吸入モーターファン羽
21レールモーター軸ワイヤー取り付け部
22レールモーター軸ワイヤー巻き取り装置
23補助充電池
24外気酸素吸入ボルトネジ装置
25外気酸素吸入官
26外気酸素ファン室酸素官取り付け部
27外気酸素ファン室送り官
28外気酸素取り入れ官接続部分装置  
29ボタンスプリングスイッチ型スクリュー官(エアースクリュー官巻き取り装置見本)
30補助エアー吸入官(見本) 
31圧縮酸素送りつまみネジ電気スィッチ 
32ワイヤスイッチ 2008年5月6日(火)PM17時20分45秒美馬牛で付け足す墫野
【図１】
2012101790.tif 000003
【図２】
2012101790.tif 000004
【図３】
2012101790.tif 000005
【図４】
2012101790.tif 000006
【図５】
2012101790.tif 000007
【図６】
2012101790.tif 000008
【図７】
2012101790.tif 000009
【図８】
2012101790.tif 000010
【図９】
2012101790.tif 000011
【図１０】
2012101790.tif 000012
【図１１】
2012101790.tif 000013
【図１２】
2012101790.tif 000014